(57)【要約】【課題】発信者に特別な操作を要求することなく発信者の状況を着信者以外の第三者に通知すること。【解決手段】情報配信システム１は、複数のユーザ情報で構成されるグループを示すグループ情報を記憶するグループ記憶部１１と、発信端末Ｓから着信端末Ｒへの呼接続要求信号を取得するＶＬＲ／ＭＳＣ２と、その呼接続要求信号から抽出された発信者番号に対応するグループ情報をグループ記憶部１１から読み出すグループ取得部１２と、読み出されたグループ情報に含まれる複数のユーザ情報のうち発信者情報以外のユーザ情報に対応する一又は複数の通信端末Ｍａ，Ｍｂに、発信端末Ｓから着信端末Ｒへの発呼が行われたことを通知する通知部１５と、を備える。【選択図】図１
2010166224.tif 000002
【特許請求の範囲】
【請求項１】
複数のユーザ情報で構成されるグループを示すグループ情報を記憶するグループ記憶手段と、
発信端末から着信端末への呼接続要求信号を取得する信号取得手段と、
前記信号取得手段により取得された呼接続要求信号から抽出された発信者情報に対応するグループ情報を前記グループ記憶手段から読み出すグループ取得手段と、
前記グループ取得手段により読み出されたグループ情報に含まれる複数のユーザ情報のうち前記発信者情報以外のユーザ情報に対応する一又は複数の通信端末に、前記発信端末から前記着信端末への発呼が行われたことを通知する通知手段と、
を備える情報配信システム。
【請求項２】
前記信号取得手段による呼接続要求信号の取得を契機として、前記発信端末の位置を示す位置情報を取得する位置取得手段を更に備え、
前記通知手段が、更に、前記位置取得手段により取得された位置情報を前記一又は複数の通信端末に通知する、
請求項１に記載の情報配信システム。
【請求項３】
前記ユーザ情報に対応する通信端末とは異なる、情報の通知先である通信端末を識別する通知先情報と、位置情報とを関連付けて記憶する通知先記憶手段と、
前記信号取得手段による呼接続要求信号の取得を契機として、前記発信端末の位置を示す位置情報を取得する位置取得手段と、
前記位置取得手段により取得された位置情報に対応する通知先情報を前記通知先記憶手段から読み出す通知先取得手段と、
を更に備え、
前記通知手段が、更に、前記通知先取得手段により読み出された通知先情報に対応する通信端末に、前記発信端末から前記着信端末への発呼が行われたことを通知する、
請求項１に記載の情報配信システム。
【請求項４】
前記発信端末と前記着信端末との間の呼が切断された後に、該発信端末との間で呼を確立し、該発信端末から伝送されてきた音声メッセージを記憶する音声記憶手段を更に備え、
前記通知手段が、更に、前記発信端末からの音声メッセージが前記音声記憶手段に記憶されたことを通知する、
請求項１〜３のいずれか一項に記載の情報配信システム。
【請求項５】
前記通知手段による通知を要する着信者情報を記憶する着信者情報記憶手段を更に備え、
前記信号取得手段により取得された呼接続要求信号から抽出された着信者情報が前記着信者情報記憶手段に記憶されている場合に、前記グループ取得手段が前記グループ情報を読み出し、前記通知手段が通知処理を実行する、
請求項１〜４のいずれか一項に記載の情報配信システム。
【請求項６】
前記着信者情報には、緊急通報用番号に関する情報が含まれる、
請求項５に記載の情報配信システム。
【請求項７】
情報の通知先である通信端末を識別する通知先情報と位置情報とを関連付けて記憶する通知先記憶手段と、
発信端末から着信端末への呼接続要求信号を取得する信号取得手段と、
前記信号取得手段による呼接続要求信号の取得を契機として、前記発信端末の位置を示す位置情報を取得する位置取得手段と、
前記位置取得手段により取得された位置情報に対応する通知先情報を前記通知先記憶手段から読み出す通知先取得手段と、
前記通知先取得手段により読み出された通知先情報に対応する通信端末に、前記発信端末から前記着信端末への発呼が行われたことを通知する通知手段と、
を備える情報配信システム。
【請求項８】
複数のユーザ情報で構成されるグループを示すグループ情報を記憶するグループ記憶手段を備える情報配信システムにより実行される情報配信方法であって、
発信端末から着信端末への呼接続要求信号を取得する信号取得ステップと、
前記信号取得ステップにおいて取得された呼接続要求信号から抽出された発信者情報に対応するグループ情報を前記グループ記憶手段から読み出すグループ取得ステップと、
前記グループ取得ステップにおいて読み出されたグループ情報に含まれる複数のユーザ情報のうち前記発信者情報以外のユーザ情報に対応する一又は複数の通信端末に、前記発信端末から前記着信端末への発呼が行われたことを通知する通知ステップと、
を含む情報配信方法。
【請求項９】
情報の通知先である通信端末を識別する通知先情報と位置情報とを関連付けて記憶する通知先記憶手段を備える情報配信システムにより実行される情報配信方法であって、
発信端末から着信端末への呼接続要求信号を取得する信号取得ステップと、
前記信号取得ステップにおける呼接続要求信号の取得を契機として、前記発信端末の位置を示す位置情報を取得する位置取得ステップと、
前記位置取得ステップにおいて取得された位置情報に対応する通知先情報を前記通知先記憶手段から読み出す通知先取得ステップと、
前記通知先取得ステップにおいて読み出された通知先情報に対応する通信端末に、前記発信端末から前記着信端末への発呼が行われたことを通知する通知ステップと、
を含む情報配信方法。
【発明の詳細な説明】
【技術分野】
【０００１】
本発明は、発呼が行われたことを所定の端末に通知する情報配信システム及び情報配信方法に関する。
【背景技術】
【０００２】
事故や急病等の発生により緊急機関（警察や消防等）の援助を必要とする際に、携帯電話機から特番発信（緊急通報用電話番号（１１０／１１９）への発信）するケースが近年増加している。移動通信網における特番技術については、発信端末の位置に応じて最寄りの緊急機関にルーティングする技術や、特番発信をトリガに端末が自動的に位置情報を取得し緊急機関に通知する技術等が開発され、各通信キャリアにて提供されている。
【０００３】
例えば下記特許文献１には、発信者の位置情報を着信端末に伝達する位置情報提供システムが記載されている。このシステムでは、特定の電話番号に対する発信が行われると、位置情報提供システムが発信端末の位置を算出し、位置情報を発信端末の電話番号と共に着信側のシステムに通知する。
【先行技術文献】
【特許文献】
【０００４】
【特許文献１】特開２００１−２１８２５０号公報
【発明の概要】
【発明が解決しようとする課題】
【０００５】
しかしながら、上記特許文献１に記載のような従来技術は発信者と緊急機関との間での情報交換を目的とするものであり、発信者の位置情報はもとより、緊急機関に連絡したこと自体、つまり緊急事態が発生したことを第三者（発信者の家族や友人等）に通知することはできない。そのため発信者（当事者）は、緊急機関への通報とは別に、伝言板サービス、電話、メール等により家族や友人へ状況を伝える必要がある。しかし、緊急事態においてはそのような操作を行うことは煩わしい上、発信者の状況や心理状態によっては緊急事態であることを第三者に適切に通知できない場合がある。
【０００６】
本発明は上記課題を解決するためになされたものであり、発信者に特別な操作を要求することなく発信者の状況を着信者以外の第三者に通知することが可能な情報配信システム及び情報配信方法を提供することを目的とする。
【課題を解決するための手段】
【０００７】
本発明の情報配信システムは、複数のユーザ情報で構成されるグループを示すグループ情報を記憶するグループ記憶手段と、発信端末から着信端末への呼接続要求信号を取得する信号取得手段と、信号取得手段により取得された呼接続要求信号から抽出された発信者情報に対応するグループ情報をグループ記憶手段から読み出すグループ取得手段と、グループ取得手段により読み出されたグループ情報に含まれる複数のユーザ情報のうち発信者情報以外のユーザ情報に対応する一又は複数の通信端末に、発信端末から着信端末への発呼が行われたことを通知する通知手段と、を備える。
【０００８】
また、本発明の情報配信方法は、複数のユーザ情報で構成されるグループを示すグループ情報を記憶するグループ記憶手段を備える情報配信システムにより実行される情報配信方法であって、発信端末から着信端末への呼接続要求信号を取得する信号取得ステップと、信号取得ステップにおいて取得された呼接続要求信号から抽出された発信者情報に対応するグループ情報をグループ記憶手段から読み出すグループ取得ステップと、グループ取得ステップにおいて読み出されたグループ情報に含まれる複数のユーザ情報のうち発信者情報以外のユーザ情報に対応する一又は複数の通信端末に、発信端末から着信端末への発呼が行われたことを通知する通知ステップと、を含む。
【０００９】
このような情報配信システム及び情報配信方法によれば、発信端末が発呼すると呼接続要求信号が取得され、その信号から抽出された発信者情報に対応するグループ情報が読み出される。そして、そのグループ情報に含まれる第三者のユーザ情報に対応する一又は複数の通信端末に、発信者が電話を掛けたことが通知される。したがって、発信者に特別な操作を要求することなく、発信者の状況を着信者以外の第三者（グループユーザ）に自動的に通知することができる。
【００１０】
本発明の情報配信システムでは、信号取得手段による呼接続要求信号の取得を契機として、発信端末の位置を示す位置情報を取得する位置取得手段を更に備え、通知手段が、更に、位置取得手段により取得された位置情報を一又は複数の通信端末に通知することが好ましい。
【００１１】
この場合、発呼時の発信端末の位置が取得されて第三者の通信端末に通知されるので、第三者は発信者がどこにいるかを知ることができる。
【００１２】
本発明の情報配信システムでは、ユーザ情報に対応する通信端末とは異なる、情報の通知先である通信端末を識別する通知先情報と、位置情報とを関連付けて記憶する通知先記憶手段と、信号取得手段による呼接続要求信号の取得を契機として、発信端末の位置を示す位置情報を取得する位置取得手段と、位置取得手段により取得された位置情報に対応する通知先情報を通知先記憶手段から読み出す通知先取得手段と、を更に備え、通知手段が、更に、通知先取得手段により読み出された通知先情報に対応する通信端末に、発信端末から着信端末への発呼が行われたことを通知することが好ましい。
【００１３】
この場合、発呼時の発信端末の位置に対応する通知先情報が読み出され、その通知先情報に対応する通信端末に、発信者が電話を掛けたことが通知される。これにより、グループユーザだけでなく、発信者のいる場所に関係する第三者にも発信者の状況を通知することができる。
【００１４】
本発明の情報配信システムでは、発信端末と着信端末との間の呼が切断された後に、該発信端末との間で呼を確立し、該発信端末から伝送されてきた音声メッセージを記憶する音声記憶手段を更に備え、通知手段が、更に、発信端末からの音声メッセージが音声記憶手段に記憶されたことを通知することが好ましい。
【００１５】
この場合、着信者と通話した直後の発信者の音声メッセージが記憶され、そのことが第三者の通信端末に通知されるので、第三者はその音声メッセージにアクセスして発信者の状況をより具体的に知ることが可能になる。
【００１６】
本発明の情報配信システムでは、通知手段による通知を要する着信者情報を記憶する着信者情報記憶手段を更に備え、信号取得手段により取得された呼接続要求信号から抽出された着信者情報が着信者情報記憶手段に記憶されている場合に、グループ取得手段がグループ情報を読み出し、通知手段が通知処理を実行することが好ましい。
【００１７】
この場合、所定の着信者への発呼が行われた場合にのみ第三者への通知が実行されるので、通知処理を要する着信者情報を適切に設定することで、例えば通知の必要性が高い場合にのみ通知処理を実行することができる。これにより、情報配信システムの利便性が向上する。
【００１８】
本発明の情報配信システムでは、着信者情報には、緊急通報用番号に関する情報が含まれることが好ましい。
【００１９】
この場合、例えば発信者が緊急事態に遭遇したことを即時に第三者に通知することができる。
【００２０】
本発明の情報配信システムは、情報の通知先である通信端末を識別する通知先情報と位置情報とを関連付けて記憶する通知先記憶手段と、発信端末から着信端末への呼接続要求信号を取得する信号取得手段と、信号取得手段による呼接続要求信号の取得を契機として、発信端末の位置を示す位置情報を取得する位置取得手段と、位置取得手段により取得された位置情報に対応する通知先情報を通知先記憶手段から読み出す通知先取得手段と、通知先取得手段により読み出された通知先情報に対応する通信端末に、発信端末から着信端末への発呼が行われたことを通知する通知手段と、を備える。
【００２１】
また、本発明の情報配信方法は、情報の通知先である通信端末を識別する通知先情報と位置情報とを関連付けて記憶する通知先記憶手段を備える情報配信システムにより実行される情報配信方法であって、発信端末から着信端末への呼接続要求信号を取得する信号取得ステップと、信号取得ステップにおける呼接続要求信号の取得を契機として、発信端末の位置を示す位置情報を取得する位置取得ステップと、位置取得ステップにおいて取得された位置情報に対応する通知先情報を通知先記憶手段から読み出す通知先取得ステップと、通知先取得ステップにおいて読み出された通知先情報に対応する通信端末に、発信端末から着信端末への発呼が行われたことを通知する通知ステップと、を含む。
【００２２】
このような情報配信システム及び情報配信方法によれば、呼接続要求信号の取得を契機に、発呼時の発信端末の位置を示す位置情報が取得される。そして、その位置情報に対応する通知先の通信端末に、発信者が電話を掛けたことが通知される。したがって、発信者に特別な操作を要求することなく、発信者の状況を着信者以外の第三者（所定の通知先）に自動的に通知することができる。
【発明の効果】
【００２３】
このような情報配信システム及び情報配信方法によれば、発信者番号に対応するグループ情報を読み出し、そのグループ情報に含まれる第三者の電話番号に対応する一又は複数の通信端末に発呼の旨を通知するので、発信者に特別な操作を要求することなく、発信者の状況を着信者以外の第三者に自動的に通知することができる。
【図面の簡単な説明】
【００２４】
【図１】実施形態に係る情報配信システムの全体構成を示す図である。
【図２】図１に示す配信サーバのハードウェア構成を示す図である。
【図３】図１に示す通知先記憶部が記憶する情報の例を示す図である。
【図４】配信メッセージの例を示す図である。
【図５】図１に示す情報配信システムの動作を示すシーケンス図である。
【図６】図１に示す情報配信システムの動作を示すシーケンス図である。
【図７】図１に示す情報配信システムの動作を示すシーケンス図である。
【図８】変形例に係る情報配信システムの動作を示すシーケンス図である。
【発明を実施するための形態】
【００２５】
以下、添付図面を参照しながら本発明の実施形態を詳細に説明する。なお、図面の説明において同一又は同等の要素には同一の符号を付し、重複する説明を省略する。
【００２６】
まず、図１〜４を用いて、実施形態に係る情報配信システムの機能及び構成を説明する。図１は情報配信システム１の全体構成を示す図である。図２は図１に示す配信サーバ１０のハードウェア構成を示す図である。図３は図１に示す通知先記憶部１３が記憶する情報の例を示す図である。図４は配信メッセージの例を示す図である。
【００２７】
情報配信システム１は、発信者が特定の者に電話を掛けた場合に、そのことを所定の第三者に通知するコンピュータシステムである。本実施形態では警察や消防等の緊急機関を特定の着信者とするが、任意の機関、法人、個人などを特定の着信者とすることができる。
【００２８】
情報配信システム１は、発信者が所持する発信端末Ｓと、緊急機関に設置された着信端末Ｒと、ＶＬＲ／ＭＳＣ（Visitor Location Register/Mobile Switching Center）２と、ＨＬＲ／ｇｓｍＳＣＦ（HomeLocation Register/GSM Service Control Function）３と、測位システム４と、メッセージサーバ５と、発信者の状況を第三者に通知する配信サーバ１０と、発信者と同じグループとして登録されている第三者（グループユーザ）の移動端末Ｍａ，Ｍｂと、発信者の現在位置から所定の距離内に存在する交番に設置された通信端末Ｔとを備えている。交番も第三者のうちの一つである。なお、発信端末、着信端末及び第三者の通信端末は、移動端末でも固定端末でもよく、その種類も限定されない。例えば、移動端末であれば、携帯電話機、携帯情報端末（Personal Digital Assistant、ＰＤＡ）、ノートＰＣなどの任意の端末を用いてよい。また、第三者となる者も限定されず、その数も任意である。例えば、交番の代わりに、最寄りの市役所や特定の個人などを、グループユーザとは異なる第三者としてもよい。
【００２９】
ＶＬＲ／ＭＳＣ２は、呼制御を実行する交換機であり、信号取得手段として機能する。ＶＬＲ／ＭＳＣ２は、発信端末Ｓから着信端末Ｒへの呼接続要求信号を受信し、その信号から発信者番号及び着信者番号を抽出する。続いて、ＶＬＲ／ＭＳＣ２は着信者番号が第三者への通知を要する番号であるか否かを判定する。この判定のためにＶＬＲ／ＭＳＣ２は通知を要する着信者番号（着信者情報）のリストを予め記憶している。例えば、ＶＬＲ／ＭＳＣ２は、１１０（警察）、１１９（消防・救急）のような緊急通報用番号（特番）、保険事業者の電話番号、ロードサービス会社の電話番号などから成るリストを記憶している。したがって、ＶＬＲ／ＭＳＣ２は着信者番号記憶手段でもある。着信者番号が通知を要する番号である場合には、ＶＬＲ／ＭＳＣ２はこれらの番号を含むサービス起動要求を生成してＨＬＲ／ｇｓｍＳＣＦ３に送信する。
【００３０】
その後、ＶＬＲ／ＭＳＣ２は、ＨＬＲ／ｇｓｍＳＣＦ３がそのサービス起動要求に応じて生成したサービス起動応答を受信する。このサービス起動応答は、呼切断時（通話終了時）に発信端末Ｓとの間の呼を維持しつつ呼切断（通話終了）の旨をＨＬＲ／ｇｓｍＳＣＦ３に通知せよとの命令を示す信号である。ＶＬＲ／ＭＳＣ２は、このサービス起動応答を受信すると、必要に応じて裏番号展開（１１０や１１９などの特番を接続先の電話番号に変換する処理）を実行し、着信端末Ｒに対して呼接続を要求する。これにより、発信者は着信者である緊急機関との間で通話することが可能になる。また、ＶＬＲ／ＭＳＣ２は発信者番号及び着信者番号を含む測位要求を測位システム４に送信する。
【００３１】
通話が終了すると、ＶＬＲ／ＭＳＣ２は着信端末Ｒから切断要求を受信する。続いて、ＶＬＲ／ＭＳＣ２は着信端末Ｒとの間の呼が切断されたことを示すイベントをＨＬＲ／ｇｓｍＳＣＦ３に通知する。その後、ＶＬＲ／ＭＳＣ２は、ＨＬＲ／ｇｓｍＳＣＦ３がそのイベント通知に応じて生成した新たなサービス起動応答を受信する。このサービス起動応答は、発信端末Ｓとメッセージサーバ５との間の呼を確立し、切断時（メッセージ登録完了時）に切断の旨をＨＬＲ／ｇｓｍＳＣＦ３に通知せよとの命令を示す信号である。このサービス起動応答には、メッセージサーバ５へのルーティング情報が含まれる。ＶＬＲ／ＭＳＣ２は、このサービス起動応答を受信すると、発信端末Ｓとの間の接続を維持したままメッセージサーバ５に対する呼接続要求を実行する。これにより、発信者はメッセージサーバ５内の記憶装置にメッセージを録音することが可能になる。
【００３２】
録音が終了すると、ＶＬＲ／ＭＳＣ２はメッセージサーバ５から録音完了通知（切断要求）を受信する。続いて、ＶＬＲ／ＭＳＣ２は発信端末Ｓとメッセージサーバ５との間の呼が切断されたことを示すイベントをＨＬＲ／ｇｓｍＳＣＦ３に通知する。その後、ＶＬＲ／ＭＳＣ２は、ＨＬＲ／ｇｓｍＳＣＦ３がそのイベント通知に応じて生成した新たなサービス起動応答を受信する。このサービス起動応答は、配信サーバ１０に対してメッセージ配信を指示せよとの命令を示す信号である。このサービス起動応答には、配信サーバ１０へのルーティング情報が含まれる。ＶＬＲ／ＭＳＣ２は、このサービス起動応答を受信すると配信サーバ１０に配信指示を送信する。この配信指示には、発信者番号、着信者番号、発信時刻、及びメッセージ録音が行われたことを示す録音フラグが含まれる。
【００３３】
ＨＬＲ／ｇｓｍＳＣＦ３は、加入者データベースを備えサービス管理機能を提供する通信制御装置である。ＨＬＲ／ｇｓｍＳＣＦ３は、ＶＬＲ／ＭＳＣ２からサービス起動要求を受信するとＶＬＲ／ＭＳＣ２に実行させる制御を決定し、その内容をサービス起動応答としてＶＬＲ／ＭＳＣ２に送信する。
【００３４】
具体的には、ＶＬＲ／ＭＳＣ２からサービス起動要求を受信したときには、ＨＬＲ／ｇｓｍＳＣＦ３はその要求に含まれている発信者番号に対応する発信者情報（発信端末Ｓに関する情報）をデータベースから読み出し、発信者が何らかのグループに登録しているか否かを判定する。例えば、発信者が家族割引サービスに加入しているようであれば、発信者についてグループ登録があると判定する。そして、グループ登録ありの場合には、ＨＬＲ／ｇｓｍＳＣＦ３は、呼切断時（通話終了時）にその旨を通知させるための命令をサービス起動応答として送信する。
【００３５】
着信端末Ｒへの呼が切断されたことを示すイベントを受信した場合には、ＨＬＲ／ｇｓｍＳＣＦ３は、発信端末Ｓとメッセージサーバ５との間の呼を確立し、その呼を切断する際に切断の旨を通知させるための命令をサービス起動応答として送信する。このとき、ＶＬＲ／ＭＳＣ２はメッセージサーバ５のルーティング情報を所定の記憶装置から読み出してサービス起動応答に入れ込む。
【００３６】
メッセージサーバ５への呼が切断されたことを示すイベントを受信した場合には、ＨＬＲ／ｇｓｍＳＣＦ３は、配信サーバ１０に対してメッセージ配信を指示させるための命令をサービス起動応答として送信する。このとき、ＶＬＲ／ＭＳＣ２は配信サーバ１０へのルーティング情報を所定の記憶装置から読み出してサービス起動応答に入れ込む。
【００３７】
測位システム４は、発信端末Ｓの位置を算出するコンピュータであり、位置取得手段として機能する。ＶＬＲ／ＭＳＣ２から測位要求を受信すると、測位システム４は、その指示に含まれる発信者番号と関連付けられている基地局ＩＤ（発信端末Ｓの最寄りの基地局のＩＤ）をＨＬＲ／ｇｓｍＳＣＦ３から読み出し、その基地局ＩＤと予め記憶している地図データベースとに基づいて発信端末Ｓの位置（緯度経度及び所在地）を算出する。そして、測位システム４は算出結果を位置情報として配信サーバ１０及び着信端末Ｒに送信する。すなわち、測位システム４はＶＬＲ／ＭＳＣ２による呼接続要求信号の取得を契機として、発信端末Ｓの位置情報を取得する。
【００３８】
メッセージサーバ５は、発信者の音声メッセージを保管するコンピュータであり、音声記憶手段として機能する。メッセージサーバ５は、ＶＬＲ／ＭＳＣ２を介して発信端末Ｓと呼接続すると発信端末Ｓに対してメッセージ録音のためのガイダンスを再生し、その後発信端末Ｓから伝送されてきた発信者の音声メッセージを受信して記憶装置に記憶する。また、メッセージサーバ５は、第三者の通信端末と呼接続した場合に、その第三者により指定されたメッセージを再生する。これにより、第三者は発信者のメッセージを聴くことができる。
【００３９】
配信サーバ１０は、発信者が特定の者に電話を掛けた場合に、そのことを所定の第三者に通知するコンピュータである。配信サーバ１０は、機能的構成要素としてグループ記憶部（グループ記憶手段）１１、グループ取得部（グループ取得手段）１２、通知先記憶部（通知先記憶手段）１３、通知先取得部（通知先取得手段）１４、及び通知部（通知手段）１５を備えている。
【００４０】
配信サーバ１０は、図２に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどの通信制御部１０４と、キーボードやマウスなどの入力部１０５と、モニタやプリンタなどの出力部１０６とで構成される。図１に示される各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００４１】
グループ記憶部１１は、複数のユーザ情報で構成されるグループを示すグループ情報を記憶する部分である。ユーザ情報は、ユーザ（グループユーザ）を識別できる情報であれば何でもよく、例えば電話番号、メールアドレス、ユーザＩＤなどをユーザ情報とすることができる。グループ情報はグループ識別子によって特定される。グループ情報は、例えばユーザが家族割引サービスなどの所定のサービスに加入した時点でグループ記憶部１１に記憶される。
【００４２】
グループ取得部１２は、ＶＬＲ／ＭＳＣ２により取得された呼接続要求信号から抽出された発信者情報に対応するグループ情報をグループ記憶部１１から読み出す部分である。グループ取得部１２はＶＬＲ／ＭＳＣ２から配信指示を受信すると、その配信指示に含まれる発信者番号に対応するグループ情報をグループ記憶部１１から読み出す。このとき、グループ情報を構成するユーザ情報が電話番号であれば、グループ取得部１２は発信者番号をそのまま用いてグループ記憶部１１を検索する。これに対してユーザ情報が電話番号以外の情報であれば、グループ取得部１２は電話番号とユーザ情報とが関連付けられて記憶されている所定の変換テーブルを検索することで発信者情報を取得し、その発信者情報を用いてグループ記憶部１１を検索すればよい。グループ取得部１２は、読み出したグループ情報を、配信指示に含まれる発信者番号、着信者番号、発信時刻及び録音フラグと共に通知部１５に出力する。
【００４３】
通知先記憶部１３は、情報の通知先である通信端末を識別する通知先情報と位置情報とを関連付けて記憶する部分である。ここで、「情報の通知先」とは、グループ記憶部１１で管理するグループユーザ以外の第三者のことをいう。例えば図３に示すように、通知先記憶部１３は、基地局ＩＤ及び緯度経度範囲から成る位置情報と、配信先名称、電話番号及びメールアドレスから成る通知先情報とが関連付けられたレコードを記憶している。もっとも、レコードの構成はこれに限定されず、例えば位置情報が基地局ＩＤ及び緯度経度範囲のどちらか一方のみにより構成されていてもよい。
【００４４】
通知先取得部１４は、測位システム４により取得された位置情報に対応する通知先情報を通知先記憶部１３から読み出す部分である。通知先取得部１４は測位システム４から受信した位置情報（緯度経度）に対応する通信先情報を読み出して通知部１５に出力する。例えば、図３に示す情報が通知先記憶部１３に記憶されており、受信した位置情報が「緯度＝３５度３０分、経度＝１３０度２０分」であれば、交番Ａに関する通知先情報が読み出される。
【００４５】
通知部１５は、グループ取得部１２により読み出されたグループ情報に含まれる複数のユーザ情報のうち発信者情報以外のユーザ情報に対応する一又は複数の通信端末に、発信端末Ｓから着信端末Ｒへの発呼が行われたことを通知する部分である。また、通知部１５は、通知先取得部１４により読み出された通知先情報に対応する通信端末にその発呼が行われたことを通知する部分でもある。
【００４６】
通知部１５は、グループ取得部１２から入力された各種情報と、通知先取得部１４から入力された通知先情報と、測位システム４から受信した位置情報とに基づいて、通知先に送信するメッセージを生成する。例えば、通知部１５は図４に示すようなメッセージを生成する。図４のメッセージは、発信時刻「ＹＹＹＹ年ＭＭ月ＤＤ日  ｈｈ時ｍｍ分」、発信者番号「０９０ｘｘｘｘｙｙｙｙ」、着信者番号「１１０」、位置情報（所在地）「神奈川県横須賀市・・・」、及び録音フラグに基づく文字列「メッセージがあります。ａａａａに発信ください。」を含んでいる。
【００４７】
メッセージを作成した後に、通知部１５は、グループ情報に含まれる第三者のユーザ情報に対応する通信端末（例えば図１における携帯端末Ｍａ，Ｍｂ）と、通知先情報に対応する通信端末（例えば図１における通信端末Ｔ）とにそのメッセージを配信する。メッセージの配信方法は限定されない。例えば、通知部１５はショートメッセージサービス（ＳＭＳ）や電子メールによりメッセージを配信することができる。これにより、第三者は発信者がいつどこから緊急機関に電話を掛けたかを知ることができる。
【００４８】
次に、図５〜７を用いて、図１に示す情報配信システム１の動作を説明するとともに本実施形態に係る情報配信方法について説明する。図５〜７は情報配信システム１の動作を示すシーケンス図である。なお、図５〜７では一又は複数の第三者端末を一つにまとめて示している。
【００４９】
まず図５を用いて説明する。発信者が緊急機関に電話を掛けると、発信端末Ｓが呼接続要求信号を発信し、ＶＬＲ／ＭＳＣ２がその信号を受信する（ステップＳ１０１、信号取得ステップ）。ＶＬＲ／ＭＳＣ２は呼接続要求信号から抽出した着信者番号に基づいて、第三者への通知を行うか否かを判定する（ステップＳ１０２）。そして、通知が必要であると判定した場合には、ＶＬＲ／ＭＳＣ２は呼接続要求信号から抽出した発信者番号及び着信者番号を含むサービス起動要求をＨＬＲ／ｇｓｍＳＣＦ３に送信する（ステップ１０３）。
【００５０】
ＨＬＲ／ｇｓｍＳＣＦ３は、受信したサービス起動要求に含まれている発信者番号に対応する発信者情報を読み出して、発信者が何らかのグループに登録しているか否かを判定する（ステップＳ１０４）。そして、グループ登録ありの場合には、ＨＬＲ／ｇｓｍＳＣＦ３は呼切断時（通話終了時）に関する命令を示すサービス起動応答をＶＬＲ／ＭＳＣ２に送信する（ステップＳ１０５）。
【００５１】
ＶＬＲ／ＭＳＣ２は、サービス起動応答を受信すると着信端末Ｒに対して接続要求を送信すると共に（ステップＳ１０６）、測位システム４に測位要求を送信する（ステップＳ１０７）。測位要求を受信した測位システム４は、発信端末Ｓの位置を算出し（ステップＳ１０８、位置取得ステップ）、算出結果を位置情報として着信端末Ｒ及び配信サーバ１０に送信する（ステップＳ１０９）。また、上記ステップＳ１０６の処理により発信端末Ｓと着信端末Ｒとの間に呼が確立され、発信者と緊急機関とが互いに通話可能となる（ステップＳ１１０）
【００５２】
ステップＳ１１０以降の処理を図６を用いて説明する。通話が終了すると、ＶＬＲ／ＭＳＣ２は着信端末Ｒから切断要求を受信し（ステップＳ１１１）、着信端末Ｒとの間の呼が切断されたことを示すイベントをＨＬＲ／ｇｓｍＳＣＦ３に通知する（ステップＳ１１２）。
【００５３】
ＨＬＲ／ｇｓｍＳＣＦ３は、上記イベントを受信するとメッセージサーバ５のルーティング情報を読出し（ステップＳ１１３）、その情報を含むサービス起動応答をＶＬＲ／ＭＳＣ２に送信する（ステップＳ１１４）。このサービス起動応答はメッセージ録音に関する命令を示す信号である。
【００５４】
ＶＬＲ／ＭＳＣ２は、このサービス起動応答を受信すると、発信端末Ｓとの間の呼を維持しつつ（ステップＳ１１５）メッセージサーバ５に接続要求を送信することで（ステップＳ１１６）、発信端末Ｓとメッセージサーバ５との間の呼を確立する。これにより、発信者はメッセージサーバ５にメッセージを録音することができる（ステップＳ１１７）。
【００５５】
ステップＳ１１７以降の処理を図７を用いて説明する。録音が終了すると、ＶＬＲ／ＭＳＣ２はメッセージサーバ５から録音完了通知（切断要求）を受信し（ステップＳ１１８）、呼切断が発生したことを示すイベントをＨＬＲ／ｇｓｍＳＣＦ３に通知する（ステップＳ１１９）。また、ＶＬＲ／ＭＳＣ２は発信端末Ｓとの間の呼を切断する処理を実行する（ステップＳ１２０）。
【００５６】
ＨＬＲ／ｇｓｍＳＣＦ３は、上記イベントを受信すると配信サーバ１０のルーティング情報を読み出し（ステップＳ１２１）、その情報を含むサービス起動応答をＶＬＲ／ＭＳＣ２に送信する（ステップＳ１２２）。このサービス起動応答は配信指示に関する命令を示す信号である。ＶＬＲ／ＭＳＣ２は、このサービス起動応答を受信すると、発信者番号や着信者番号などを含む配信指示を配信サーバ１０に送信する（ステップＳ１２３）。
【００５７】
配信サーバ１０は配信指示を受信するとメッセージ配信を実行する。まず、グループ取得部１２が配信指示に含まれている発信者番号に対応するグループ情報をグループ記憶部１１から読み出す（ステップＳ１２４、グループ取得ステップ）。また、通知先取得部１４が上記ステップＳ１０９において取得した位置情報に対応する通知先情報を通知先記憶部１３から読み出す（ステップＳ１２５、通知先取得ステップ）。続いて、通知部１５が配信指示及び位置情報に基づいてメッセージを生成し（ステップＳ１２６）、グループ情報に含まれる第三者の通信端末と、通知先情報に対応する通信端末とにそのメッセージを配信する（ステップＳ１２７、通知ステップ）。これにより、第三者は発信者がいつどこから緊急機関に電話を掛けたかを知ることができる。
【００５８】
以上説明したように、本実施形態によれば、発信端末Ｓが発呼すると呼接続要求信号が取得され、その信号から抽出された発信者番号に対応するグループ情報が読み出される。そして、そのグループ情報に含まれる第三者のユーザ情報に対応する一又は複数の通信端末に、発信者が電話を掛けたことが通知される。したがって、発信者に特別な操作を要求することなく、発信者の状況をグループユーザに自動的に通知することができる。
【００５９】
また、発呼時の発信端末Ｓの位置が取得されて第三者の通信端末に通知されるので、第三者は発信者がどこにいるかを知ることができる。更に、その位置に対応する通知先情報が読み出され、その通知先情報に対応する通信端末（例えば通信端末Ｔ）に、発信者が電話を掛けたことが通知される。これにより、グループユーザだけでなく、発信者のいる場所に関係する第三者（例えば最寄りの施設）にも発信者の状況を通知することができる。
【００６０】
また、着信者と通話した直後の発信者の音声メッセージが記憶され、そのことが第三者の通信端末（例えば携帯端末Ｍａや通信端末Ｔ）に通知されるので、第三者はその音声メッセージにアクセスして発信者の状況をより具体的に知ることが可能になる。
【００６１】
また、所定の着信者への発呼が行われた場合にのみ第三者への通知が実行されるので、通知処理を要する着信者情報を適切に設定することで、例えば通知の必要性が高い場合にのみ通知処理を実行することができる。これにより、情報配信システムの利便性が向上する。例えば、着信者情報に１１０番や１１９番などの緊急通報用番号に関する情報を含めることで、発信者が緊急事態に遭遇したことを即時に第三者に通知することができる。
【００６２】
以上、本発明をその実施形態に基づいて詳細に説明した。しかし、本発明は上記実施形態に限定されるものではない。本発明は、その要旨を逸脱しない範囲で以下のような様々な変形が可能である。
【００６３】
上記実施形態では、コアネットワークが、ＶＬＲ／ＭＳＣ２及びＨＬＲ／ｇｓｍＳＣＦ３などから構成される回線交換（ＣＳ）ネットワークであったが、本発明は任意のネットワークに適用することができる。例えば、ＩＭＳネットワークに適用する場合には、ＣＳＣＦ（呼セッション制御機能）、ＡＳ（アプリケーションサーバ）及びＩＭ−ＳＳＦ（IP Multimedia - Service Switching Function）がＶＬＲ／ＭＳＣ２に相当する機能を実行し、ｇｓｍＳＣＦがＨＬＲ／ｇｓｍＳＣＦ３に相当する機能を実行する。
【００６４】
上記実施形態では、配信サーバ１０がグループ情報及び通知先情報の双方に基づいて通知先の端末を決定したが、配信サーバはこれら二種類の情報の一方のみを用いて通知先を決定してもよい。グループ情報のみに基づいて通知先を決定する場合には図７におけるステップＳ１２５の処理が不要となり、通知先情報のみに基づいて通知先を決定する場合にはステップＳ１２４の処理が不要となる。
【００６５】
上記実施形態では、第三者の通信端末に配信するメッセージに、発信時刻と、発信端末Ｓの位置情報と、音声メッセージが録音されたこととが含まれていたが、これらの情報を配信メッセージに含めるか否かは任意に決定できる。これに関連して、位置情報を配信メッセージに含めず、且つグループ情報のみに基づいて通知先を決定するのであれば、測位システム４に相当する構成要素は不要である。また、音声メッセージの録音の機能を提供しないのであれば、メッセージサーバ５に相当する構成要素は不要である。
【００６６】
一例として、図８を用いて、位置情報の提供及び音声メッセージの録音という二つの機能を省いた情報配信システムの動作を説明する。
【００６７】
ステップＳ２０１〜Ｓ２０４の処理は、上記実施形態（図５）におけるステップＳ１０１〜Ｓ１０４の処理と同様である。続いて、ＨＬＲ／ｇｓｍＳＣＦがＶＬＲ／ＭＳＣにサービス起動応答を送信するが、この応答は、呼切断時（通話終了時）にその旨をＨＬＲ／ｇｓｍＳＣＦに通知せよとの命令を示す信号である。続いて実行されるステップＳ２０６〜Ｓ２０８の処理は、上記実施形態（図５〜６）におけるステップＳ１０６，Ｓ１１０，Ｓ１１１の処理と同様である
【００６８】
続いて、ＶＬＲ／ＭＳＣは着信端末との間の呼が切断されたことを示すイベントをＨＬＲ／ｇｓｍＳＣＦに通知し（ステップＳ２０９）、発信端末に対して切断処理を実行する（ステップＳ２１０）。ＨＬＲ／ｇｓｍＳＣＦは、イベントを受信すると配信サーバのルーティング情報を読み出し（ステップＳ２１１）、その情報を含むサービス起動応答をＶＬＲ／ＭＳＣに送信する（ステップＳ２１２）。このサービス起動応答は、配信サーバに対してメッセージ配信を指示せよとの命令を示す信号である。その後に実行されるステップＳ２１３〜Ｓ２１６の処理は、上記実施形態（図７）におけるステップＳ１２３，Ｓ１２４，Ｓ１２６，Ｓ１２７の処理と同様である。
【００６９】
このような変形例によれば、簡易なシステム構成で、発信者の状況を着信者以外の第三者に自動的に通知することができる。
【００７０】
サーバ間の役割分担も上記実施形態で示したものに限定されない。例えば、配信サーバ１０、測位システム４及びメッセージサーバ５の機能を１台のサーバに実装してもよいし、配信サーバ１０のうち通知部１５の部分を別のサーバ（例えばＳＭＳサーバなど）に実装してもよい。
【符号の説明】
【００７１】
１…情報配信システム、２…ＶＬＲ／ＭＳＣ（信号取得手段、着信者情報記憶手段）、３…ＨＬＲ／ｇｓｍＳＣＦ、４…測位システム（位置取得手段）、５…メッセージサーバ（音声記憶手段）、１０…配信サーバ、１１…グループ記憶部（グループ記憶手段）、１２…グループ取得部（グループ取得手段）、１３…通知先記憶部（通知先記憶手段）、１４…通知先取得部（通知先取得手段）、１５…通知部（通知手段）、Ｒ…着信端末、Ｓ…発信端末、Ｍａ，Ｍｂ…移動端末（通信端末）、Ｔ…通信端末。
【図１】
2010166224.tif 000003
【図２】
2010166224.tif 000004
【図３】
2010166224.tif 000005
【図４】
2010166224.tif 000006
【図５】
2010166224.tif 000007
【図６】
2010166224.tif 000008
【図７】
2010166224.tif 000009
【図８】
2010166224.tif 000010